(57)【要約】      （修正有）【課題】収容物を一つずつ取り出すことができる収容物取出装置を提供すること。【解決手段】収容物４を納める収容部１０に、収容部の内面沿いに取出口１４へ案内する案内経路を形成する案内部３０と、案内経路に整列された収容物のうち、取出口１４に最も近い収容物を、取出操作の回転に伴って揺動パーツ５１が揺動することで取出口１４へ移動させる選択部５０と、を設ける。収容部１０を右半体１０Ｒと左半体１０Ｌの突き合わせ構成とし、案内経路の左右通行幅を板状の右第１パーツ３１Ｒ及び左第１パーツ３１Ｌの間隔で実現し、高さ方向の通行幅を右第２パーツ３２Ｒ及び左第２パーツ３２Ｌの間隔で実現する。【選択図】図５
2019059490.tif 000002
【特許請求の範囲】
【請求項１】
内部空間に複数の収容物を収容可能な収容部を、所定の取出操作方向へ回転させる取出操作を行うことで、前記収容物を取出口から個別に取出可能な収容物取出装置であって、
前記収容部は、
前記収容物を前記収容部の内面沿いに前記取出口へ案内する経路を形成する案内部と、
前記案内部による案内経路に整列された前記収容物のうち、前記取出口に最も近い前記収容物を、前記取出操作の回転に伴って揺動パーツが揺動することで前記取出口へ移動させる選択部と、
を備えた収容物取出装置。
【請求項２】
前記選択部は、前記揺動パーツを、前記揺動パーツの自重により、前記取出操作による回転に伴って、前記収容物を受容可能な第一姿勢と、受容された前記収容物が前記取出口の方向へ移動可能となる第二姿勢とに切替可能に枢支する、
請求項１に記載の収容物取出装置。
【請求項３】
前記案内部は、
前記案内経路の左右通行幅を設定するために、少なくとも前記案内経路に係る部分を、１つの前記収容物が通行可能な間隔で設けた第１パーツと、
前記案内経路の高さ方向の通行幅を設定するために、少なくとも前記案内経路に係る部分を、前記収容部の内面と前記収容部の回転中心との間に、前記収容部の内面から所定間隔で設けた第２パーツと、
を有する、
請求項１又は２に記載の収容物取出装置。
【請求項４】
前記第１パーツは、前記案内経路に係る部分の間隔が、前記案内経路の入口から、前記取出操作方向に向かって徐々に広くなるように設けられている、
請求項３に記載の収容物取出装置。
【請求項５】
前記第１パーツは、前記収容部の内面の第１位置から、前記取出操作方向に沿って延出するように設けられ、
前記第２パーツは、前記収容部の内面の第２位置から、前記取出操作方向に沿って延出するように設けられ、
前記第１位置および前記第２位置は、前記取出操作による回転側方から見て、前記取出操作方向の上流側に前記第２位置が位置し、下流側に前記第１位置が位置する、
請求項３又は４に記載の収容物取出装置。
【請求項６】
前記第２パーツは、前記第２位置から、少なくとも前記取出口の上方を横切る長さを有する、
請求項５に記載の収容物取出装置。
【請求項７】
前記第２パーツの前記第２位置からの長さよりも、前記第１パーツの前記第１位置からの長さの方が長い、
請求項５又は６に記載の収容物取出装置。
【請求項８】
前記揺動パーツは、幅方向の長さが、前記案内経路の左右通行幅より短く、揺動時に前記揺動パーツの揺動端が、前記第１パーツの前記案内経路の間を通過するように構成された、
請求項３〜７の何れか一項に記載の収容物取出装置。
【請求項９】
前記第２パーツは、少なくとも前記案内経路に係る部分が、前記収容物が通過できない間隔で設けられた、
請求項３〜８の何れか一項に記載の収容物取出装置。
【請求項１０】
前記収容部を、前記取出操作方向に回転可能に支持する支持台、
を備えた請求項１〜９の何れか一項に記載の収容物取出装置。
【請求項１１】
前記収容部を回転させるためのハンドル部、
を備えた請求項１０に記載の収容物取出装置。
【発明の詳細な説明】
【技術分野】
【０００１】
本発明は、収容物を個別に取り出しできる収容物取出装置に関する。
【背景技術】
【０００２】
従来の収容物取出装置として、装飾が施された収容ケースを傾ける毎に収容物を１個ずつ排出できる収容物取出装置が開示されている（例えば特許文献１）。特許文献１の収容物取出装置は、全体として土台の上にカエルが立っているデザインを有しており、カエルを前後に揺らすことで収容物を取り出すことができる。
【先行技術文献】
【特許文献】
【０００３】
【特許文献１】特開２００５−３０６３９６号公報
【発明の概要】
【発明が解決しようとする課題】
【０００４】
しかしながら特許文献１では、収容ケースを傾けても固定されたガイド部材と隙間との間に収容物が入らない場合もあり、収容物取出装置としてうまく機能しない可能性もあった。
【０００５】
本発明は、収容物を一つずつ取り出すことができる収容物取出装置を提供することを目的としている。
【課題を解決するための手段】
【０００６】
本発明の収容物取出装置は、内部空間に複数の収容物を収容可能な収容部を、所定の取出操作方向へ回転させる取出操作を行うことで、前記収容物を取出口から個別に取出可能な収容物取出装置であって、前記収容部は、前記収容物を前記収容部の内面沿いに前記取出口へ案内する経路を形成する案内部と、前記案内部による案内経路に整列された前記収容物のうち、前記取出口に最も近い前記収容物を、前記取出操作の回転に伴って揺動パーツが揺動することで前記取出口へ移動させる選択部と、を備える。
【０００７】
また、本発明の収容物取出装置において、前記選択部が、前記揺動パーツを、前記揺動パーツの自重により、前記取出操作による回転に伴って、前記収容物を受容可能な第１姿勢と、受容された前記収容物が前記取出口の方向へ移動可能となる第２姿勢とに切替可能に枢支する構成としてもよい。
【０００８】
また、本発明の収容物取出装置において、前記案内部が、前記案内経路の左右通行幅を設定するために、少なくとも前記案内経路に係る部分を、１つの前記収容物が通行可能な間隔で設けた第１パーツと、前記案内経路の高さ方向の通行幅を設定するために、少なくとも前記案内経路に係る部分を、前記収容部の内面と前記収容部の回転中心との間に、前記収容部の内面から所定間隔で設けた第２パーツと、を有する構成としてもよい。
【０００９】
また、本発明の収容物取出装置において、前記第１パーツは、前記左右一対の間隔が、前記案内経路の入口から、前記取出操作方向に向かって徐々に広くなるように設けられている構成としてもよい。
【００１０】
また、本発明の収容物取出装置において、前記第１パーツは、前記収容部の内面の第１位置から、前記取出操作方向に沿って延出するように設けられ、前記第２パーツは、前記収容部の内面の第２位置から、前記取出操作方向に沿って延出するように設けられ、前記第１位置および前記第２位置は、前記取出操作による回転側方から見て、前記取出操作方向の上流側に前記第２位置が位置し、下流側に前記第１位置が位置する、とした構成としてもよい。
【００１１】
また、本発明の収容物取出装置において、前記第２パーツは、前記第２位置から、少なくとも前記取出口の上方を横切る長さを有する構成としてもよい。
【００１２】
また、本発明の収容物取出装置において、前記第２パーツの前記第２位置からの長さよりも、前記第１パーツの前記第１位置からの長さの方が長い構成としてもよい。
【００１３】
また、本発明の収容物取出装置において、前記揺動パーツは、幅方向の長さが、前記案内経路の左右通行幅より短く、揺動時に前記揺動パーツの揺動端が、前記第１パーツの前案内経路の間を通過するように構成としてもよい。
【００１４】
また、本発明の収容物取出装置において、前記第２パーツは、少なくとも前記案内経路に係る部分が、前記収容物が通過できない間隔で設けられ構成としてもよい。
【００１５】
また、本発明の収容物取出装置において、前記収容部を、前記取出操作方向に回転可能に支持する支持台、を備えた構成としてもよい。
【００１６】
また、本発明の収容物取出装置において、前記収容部を回転させるためのハンドル部、を備えた構成としてもよい。
【発明の効果】
【００１７】
本発明によれば、収容物を一つずつ取り出すことができる収容物取出装置を提供することができる。
【図面の簡単な説明】
【００１８】
【図１】本実施形態の収容物取出装置を斜め前方から視た斜視図。
【図２】本実施形態の収容物取出装置を斜め後方から視た斜視図。
【図３】収容ケースを、回転軸の略中央位置で回転面に沿って切った断面図。
【図４】収容ケースを回転軸に沿って切った断面図。
【図５】収容ケースの左端部を、回転軸の回転面に沿って切り、やや斜め下から見上げた斜視図。
【図６】図５と略同じ視点から見た斜視図であって、図５よりも回転軸中央寄りに断面を設定した場合の斜視図。
【図７】収容物取出装置から１つの収容物が取り出されるまでの過程を示す収容ケースの縦断面図（その１）。
【図８】収容物取出装置から１つの収容物が取り出されるまでの過程を示す収容ケースの縦断面図（その２）。
【図９】収容物取出装置から１つの収容物が取り出されるまでの過程を示す収容ケースの縦断面図（その３）。
【図１０】本実施形態を手押し式玩具に適用した変形例を説明するための図。
【発明を実施するための形態】
【００１９】
以下、本発明を適用した実施形態の一例を説明するが、本発明を適用可能な形態が以下の実施形態に限られないことは勿論である。
【００２０】
図１は、本実施形態における収容物取出装置３を斜め前方から視た斜視図である。
図２は、本実施形態における収容物取出装置３を斜め後方から視た斜視図である。
【００２１】
収容物取出装置３は、内部空間に複数の収容物４を収容可能な収容部を、所定の取出操作方向へ１回転させる取出操作を行うことで、収容物を取出口から個別に取り出すことができる手のひらサイズのプラスチック製の小型装置である。
【００２２】
そして、収容物取出装置３は、例えば、様々な色の球状の菓子（例えば、ラムネ菓子（ラムネソーダ風味の菓子）や、常温で溶けないコーティングがなされたチョコレート、ガムといった球状に成形された菓子）を収容物４として収容する菓子ケースとして利用可能であり、収容物４をあたかも抽選玉（抽選媒体）のごとく取り出して楽しめるように回転式抽選器のようなデザインが施されている。
【００２３】
なお、本実施形態では、収容物４を球形又は略球形と想定して説明するが、転動可能な立体形状であればその他の形状でもよい。例えば、角が丸く均された多角形や、両端を丸く均した円柱体、であってもよい。また、収容物４は、菓子に限らず適宜設定可能である。例えば、カプセルや、スーパーボールであってもよい。
【００２４】
先ず、本実施形態の収容物取出装置３の構造について説明する。
収容物取出装置３は、１）内部空間に複数の収容物４を収容可能な収容部１０と、２）収容部１０を、所定の取出操作方向（収容部１０の側面の回転方向案内１９にて示されている方向）に回転可能に支持する支持台８０と、３）収容部１０を回転させるためのハンドル部９０と、を備える。本実施形態では、これらは全て、プラスチック樹脂の成形物として作られる。
【００２５】
収容部１０の側面には、回転軸棒（図１、図２では見えていない。）が突設されている。この回転軸棒は、支持台８０の側面より上方へ延設された支持柱部８２の上端に設けられた切り込み部８４内に嵌め込まれている。これにより、収容部１０は、支持台８０の上方にて回転軸Ａｒで回転自在に保持されている。
【００２６】
図３は、収容部１０を、回転軸Ａｒの軸方向に直交する方向に切った断面図である。
本実施形態の収容部１０は、回転軸Ａｒ方向から見ると八角形を有している。８つある外周面の１つには、収容部１０の内部に収容物４を投入するための投入口１２と、揺動式の投入口蓋１３とが設けられている。投入口蓋１３は、投入時は開けられるが、それ以外は、投入口１２の内縁部に係止爪１３ａで係止されており、収容物４の投入時以外は図１，２に示したように閉じた状態で使用される。
【００２７】
収容部１０の外周面の別の１つには、収容物４を取り出すための取出口１４と、揺動式の取出口蓋１５とが設けられている。本実施の形態では、取出口１４は円形の開口部として示しているが、これに限定されることはなく、六角形や八角形等の多角形の開口部であってもよい。手のひらに乗るような携帯型の収容物取出装置の場合、円形の開口部であると、取出口に指が嵌まって外れず使用者が思わぬ怪我をしてしまう可能性があるが、多角形の開口部であると、指が嵌まって抜けなくなることを防ぐことができ、使用者が怪我をする可能性を低減することができる。
【００２８】
取出口蓋１５は、収容部１０の外周に設けられた軸受部１６に軸部１５ａが軸支され、その表裏には係止突起兼ツマミ１５ｂが突設されている。収容物４の取出時には、図３に示すように、係止突起兼ツマミ１５ｂが、取出口１４より回転正方向側に設けられた第１係止孔１７に係止されることで取出姿勢に維持される。収容物４の取出を行わない場合（例えば、単に保管しておく場合や、持ち運びする場合など）では、取出口蓋１５が揺動されて表裏反転し、取出姿勢では“ツマミ”として機能していた係止突起兼ツマミ１５ｂが、取出口１４より回転逆方向側に設けられた第２係止孔１８に係止されることで、閉鎖姿勢に維持される。これにより、望ましくない収容物４の排出が起きないように、取出口１４を塞ぐことができる。なお、本実施形態の収容物取出容器は、収容部１０を収容物４の収容容器としても利用可能である。
【００２９】
図１及び図２に示すように、収容部１０の回転軸棒の一方には、ハンドル部９０が着脱自在に装着されており、ユーザが収容部１０を手動で回転させて取出操作ができるようになっている。
【００３０】
本実施形態における取出操作は、収容部１０を取出操作方向へ１回転させること、である。取出操作がなされると、収容部１０から１個の収容物４が取出口１４から取り出され、支持台８０の上面に形成された受皿部８６に載置される。受皿部８６は、装置前方に傾斜して設けられており、排出された収容物４は自重で転動して装置前方に集められ、ユーザが手で取り易くなる。
【００３１】
次に、収容部１０の内部構造について図３〜図６を参照しながら詳細に説明する。
図４は、収容部１０を回転軸Ａｒの軸方向に沿って切った断面図である。図５は、収容部１０の左側を回転軸Ａｒの軸方向に直交する面で切断し、やや斜め下から見上げた斜視図である。図６は、図５と略同じ視点から見た斜視図であって、切断位置を図５よりも回転軸Ａｒの中央寄りとした場合の斜視図である。なお、以降の説明では、便宜上、構成を説明するに当たっては図３〜図６で示した前後・左右・上下の方向を元に説明することとする。
【００３２】
図３及び図５に示す様に、収容部１０は、八角形断面のカップ状の有底体である右半体１０Ｒと左半体１０Ｌとを、互いの開口部同士を付き合わせるようにして組み付けて、内部空間を形成している。そして、その内部空間に、案内部３０と、選択部５０と、を備える。
【００３３】
案内部３０は、内部空間に投入された収容物４を収容部１０の内面沿いに取出口１４へ向けて案内する経路である案内通路を形成する。具体的には、案内部３０は、右第１パーツ３１Ｒ及び左第１パーツ３１Ｌによる第１のパーツ対と、右第２パーツ３２Ｒ及び左第２パーツ３２Ｌによる第２のパーツの対と、を有する。
【００３４】
先ず、右第１パーツ３１Ｒ及び左第１パーツ３１Ｌによる第１のパーツ対について説明する。右第１パーツ３１Ｒは、右半体１０Ｒの回転周面の内側より、図３に向かって時計回り方向である取出操作方向に延設されるように設けられた平板状部である。左第１パーツ３１Ｌは、同様に、左半体１０Ｌの回転周面の内側より、取出操作方向に延設されるように設けられた平板状部である。
【００３５】
より具体的には、図３に示すように、右第１パーツ３１Ｒ及び左第１パーツ３１Ｌの、取出操作方向の長さは、取出口１４の左右の脇（収容部の内面の第１位置Ｐ１）から、収容部１０の回転周方向で且つ、取出操作方向に沿って、収容部１０の８つの周面のうちの２面分の長さほどに設定されている。
【００３６】
そして、図４に示すように、これら左右一対の第１パーツは、左右中間位置に間隔Ｗ１〜間隔Ｗ２を有して対向しており、この間隔が、案内部３０が作る案内経路の左右通行幅を規定している。すなわち、右第１パーツ３１Ｒ及び左第１パーツ３１Ｌの回転軸Ａｒ方向の長さは、両者の対向面の間隔Ｗ１〜間隔Ｗ２が、収容物４の最大幅Ｗ０（本実施形態では、収容物４は球形を想定しているのでその直径）より大きくなるように設定されている。
【００３７】
間隔Ｗ１と間隔Ｗ２の関係に着目すると、取出口１４に近い側である間隔Ｗ２は、１個の収容物４が通行可能であり、且つ、２個の収容物４が通行不可能な間隔となっており、取出口１４から離れてしばらくすると拡幅部へ至る。図４においては、右第１パーツ３１Ｒの下部と左第１パーツ３１Ｌの下部との間隔が拡幅部となっている。そして、当該拡幅部では、取出口１４から離れるにつれて間隔Ｗ２から徐々に間隔が広がり、終端部では収容部１０の左右内幅と同じ又は略同じ間隔Ｗ１に至るように設定されている。つまり、右第１パーツ３１Ｒ及び左第１パーツ３１Ｌは、収容部１０の回転方向上流側に口を広げた漏斗状の形状を形作っている。
【００３８】
なお、右第１パーツ３１Ｒ及び左第１パーツ３１Ｌと、収容部１０の内周面との距離（図３における収容部１０の八角形状の周面のうちの、右第１パーツ３１Ｒ或いは左第１パーツ３１Ｌに最も近い面からの距離）は、収容物４の直径未満に設定されている。このような構成とすることで、右第１パーツ３１Ｒと左第１パーツ３１Ｌとの間隔Ｗ２の間に、収容物４を、１列に並ぶように整列させることができる。
【００３９】
次に、右第２パーツ３２Ｒ及び左第２パーツ３２Ｌによる第２のパーツ対について説明する。右第２パーツ３２Ｒ及び左第２パーツ３２Ｌは、案内部３０が形成する案内通路の高さ方向の通行幅を規定する。
【００４０】
具体的には、図３及び図５に示すように、右第２パーツ３２Ｒは、右第１パーツ３１Ｒよりも収容部１０の中心寄りに設けられた平板状部であって、右半体１０Ｒの回転周面の内側より図３に向かって時計回り方向である取出操作方向に延設されるように設けられている。端的に言えば、右第１パーツ３１Ｒと平行又は略平行に右第２パーツ３２Ｒが延設されている。
【００４１】
但し、右第２パーツ３２Ｒの取出操作方向の長さは、右第１パーツ３１Ｒのそれよりも短く設定されている。具体的には、取出口１４の脇（取出操作の回転逆方向側の取出口１４の脇；収容部の内面の第２位置Ｐ２；図３参照）から、収容部１０の回転周方向で且つ、取出操作方向に沿って、収容部１０の８つの周面のうちの１面分の長さほどに設定されている。換言すると、第２位置Ｐ２から、少なくとも取出口１４を横切る長さを有するように設定されている。
【００４２】
因みに、第１位置Ｐ１と第２位置Ｐ２の相対位置に着目すると、取出操作による回転側方から見て、取出操作方向の上流側に第２位置Ｐ２が位置し、下流側に第１位置Ｐ１が位置すると言える。
【００４３】
同様にして、左第２パーツ３２Ｌは、左第１パーツ３１Ｌよりも収容部１０の中心寄りに設けられた平板状部であって、左半体１０Ｌの回転周面の内側より取出操作方向に延設されるように設けられている。端的に言えば、左第１パーツ３１Ｌと平行又は略平行に延設されている。また同様にして、左第２パーツ３２Ｌの取出操作方向の長さは、左第１パーツ３１Ｌのそれよりも短く、収容ケース１０の８つの周面のうちの１面分の長さほどに設定されている。
【００４４】
また、右第２パーツ３２Ｒと左第２パーツ３２Ｌの回転軸Ａｒの軸方向（収容部１０の左右幅方向）の長さは、図４に示すように、右第２パーツ３２Ｒと左第２パーツ３２Ｌとの対向面間に、間隔Ｗ３〜Ｗ４ができるにように設定されている。すなわち、取出口１４に近い側から間隔Ｗ４（＜Ｗ０）の範囲が続いた後に拡幅部を経て間隔Ｗ３（＞間隔Ｗ４）に至り、間隔Ｗ４のまま右第２パーツ３２Ｒと左第２パーツ３２Ｌの取出操作方向の終端部に至るように設定されている。
【００４５】
また、右第２パーツ３２Ｒ及び左第２パーツ３２Ｌと、収容部１０の内周面との間の距離に着目すると、図３に示すように、高さ方向の通行幅Ｈ１を有するように設けられている。この高さ方向の通行幅Ｈ１は、収容物４の最大幅Ｗ０より大きく、１つ分の収容物４のみが通行可能な長さに設定されている。収容物４が間隔Ｗ３〜Ｗ４に衝突しながら案内通路を通過することで、収容物４を案内通路の左右中心に調整するように工夫されている。
【００４６】
なお、本実施形態では、右第１パーツ３１Ｒと右第２パーツ３２Ｒは、右半体１０Ｒを皿に見立てた場合に、その底部から開口方向（左半体１０Ｌとの対向面方向）へ向けて延びているように一体成形されている。同様に、左第１パーツ３１Ｌと左第２パーツ３２Ｌは、左半体１０Ｌを皿に見立てた場合に、その底部からその開口方向（右半体１０Ｒとの対向面方向）へ向けて延びているように一体成形されている。つまり、右半体１０Ｒ及び左半体１０Ｌを、それぞれ回転軸Ａｒ方向に分離する２つの型を用いて成形する際には、右第１パーツ３１Ｒ及び右第２パーツ３２Ｒが右半体１０Ｒと同時に成形され、左第１パーツ３１Ｌ及び左第２パーツ３２Ｌが左半体１０Ｌと同時に成形される。よって、製造及び組立のコストの削減に寄与する。
【００４７】
勿論、右第１パーツ３１Ｒ及び右第２パーツ３２Ｒ、並びに左第１パーツ３１Ｌ及び左第２パーツ３２Ｌを、右半体１０Ｒ及び左半体１０Ｌとは別部品として製造することとして、右半体１０Ｒ及び左半体１０Ｌに組み付ける構成とすることとしてもよい。
【００４８】
選択部５０は、案内部３０による案内経路に整列された収容物４のうち、取出口１４に最も近い収容物４を、取出操作（回転操作）に伴って揺動パーツ５１が揺動することで取出口へ移動させる。
【００４９】
揺動パーツ５１は、案内部３０の案内経路内で揺動可能に設置されている。すなわち、揺動パーツ５１の左右方向の長さ（回転軸Ａｒに沿った幅）は、案内経路の左右通行幅Ｗ２より短く設定されており、揺動時には、揺動パーツ５１の揺動端が、右第１パーツ３１Ｒと左第１パーツ３１Ｌとのパーツ対の間を通過するように設定されている。
【００５０】
揺動パーツ５１は、１つの収容物４を選択的に通過させるための空間を形成する。本実施形態の揺動パーツ５１は、図６に示すように、取出操作正方向側の下流部位５１ａと、取出操作逆方向側の上流部位５１ｂとを有し、取出操作回転側方（回転軸Ａｒに沿った方向）から見て、略９０°に屈曲した形状を有する板材として実現される。勿論、取出操作正方向側の下流部位５１ａと、取出操作逆方向側の上流部位５１ｂとが屈曲状に接続された形状であってもよいし、一体の湾曲した形状で実現してもよい。また、回転軸Ａｒの軸方向にも壁を作る部位を設けてカップ状の形状により実現してもよい。
【００５１】
そして、揺動パーツ５１は、収容部１０の内壁に、取出操作による収容部１０の回転に伴って自重により揺動可能に支持されている。具体的には、図３に示すように、屈曲部の外側に揺動軸５２が形成されており、当該軸が収容ケース１０の回転軸Ａｒと平行又は略平行となるようにして、収容部１０の内壁に突設された揺動軸受部５３により枢支されている。つまり、揺動パーツ５１は、重力作用により揺動軸５２を上側とした姿勢となるように自然に姿勢を変えられるように支持されている。
【００５２】
具体的には、揺動パーツは、図３で示されている収容物を受容可能な第１姿勢と、図５や図６で示されている収容物を取出口の方向へ移動可能な第２姿勢とで切り替わるようになっている。
第１姿勢（図３参照）では、揺動パーツ５１は、取出操作正方向側の下流部位５１ａが、収容部１０の内周面に当接し、取出操作逆方向側の上流部位５１ｂが、案内部３０が形成する案内経路中に立って通路を塞ぐ格好となる。この第１姿勢は、揺動パーツ５１が取出操作正方向へ開口している状態とも言える。よって、取出操作の回転で、案内経路に整列されている収容物４が、相対的に取出操作逆方向へ移動すると、整列されている収容物４のうちの最も取出口１４に近い収容物４ａが、揺動パーツ５１内へ移動することとなる。
【００５３】
対して、第２姿勢（図５，図６参照）では、揺動パーツ５１は、上流部位５１ｂが、取出口１４側へ倒れて収容部１０の内周面に当接し、下流部位５１ａが、案内部３０が形成する案内経路中に立って通路を塞ぐ格好となる。この第２姿勢は、揺動パーツ５１が取出操作逆方向へ開口した状態、或いは、取出操作正方向から収容部１０内への移動を禁止している状態とも言える。よって、揺動パーツ５１内に移動していた収容物４は、取出口１４の側の案内経路へ移動可能となる。
【００５４】
次に、本実施形態の収容物取出装置３の動作について説明する。
図７〜図９は、収容物取出装置３から１つの収容物４が排出されて取り出されるまでの過程を示す収容部１０の縦断面図（図３相当）であって、図７の（１）〜（３）、図８の（４）〜（５）、図９の（６）〜（８）の順に状況が遷移している。なお、これらで図示されている収容物４の数は、便宜上設定したものであり、実施形態や運用形態がこれに限定されるものではない。
【００５５】
図７（１）に示すように、通常、収容部１０に収容されている収容物４は、自重で収容部内を転動して、その時の収容部１０の重力方向下部に集まっている。ユーザが、取出操作（図中、回転軸Ａｒ周りの矢印方向への１回転）を行うと、案内部３０及び選択部５０は、収容部１０の重力方向下部に対して、取出操作方向の上流側から徐々に接近することとなる。図７における後方斜め上から接近することとなる。この時、揺動パーツ５１は、第１姿勢で接近することとなる。
【００５６】
そして、取出操作の回転が進むと、先ず、案内部３０の右第１パーツ３１Ｒ及び左第１パーツ３１Ｌの取出操作回転側の端部が、収容部１０の重力方向下部に貯まっている収容物４に突っ込む。前述のように、右第１パーツ３１Ｒ及び左第１パーツ３１Ｌの取出操作回転側の端部は、取出操作正回転側が拡幅部を形成しており、漏斗のように機能する。
【００５７】
これにより、重力方向下部に集まっていた収容物４は、図７（２）に示すように、案内経路内を揺動パーツ５１へ向けて１列をとなるように整列案内される。この時、右第２パーツ３２Ｒ及び左第２パーツ３２Ｌが、右第１パーツ３１Ｒ及び左第１パーツ３１Ｌよりも短いために、右第１パーツ３１Ｒ及び左第１パーツ３１Ｌによる漏斗には、収容部１０の中心側からの収容物４の進入（例えば、積み上がっている収容物４の山から崩れることでの進入）も可能となっている点も、スムーズな案内に貢献している。
【００５８】
収容物４の数が多ければ、右第１パーツ３１Ｒ及び左第１パーツ３１Ｌの取出操作回転側の端部（漏斗の部分）に案内された収容物４の上にも、他の収容物４は積み重なるだろう。しかし、そうした他の収容物４は、右第２パーツ３２Ｒ及び左第２パーツ３２Ｌにより揺動パーツ５１の手前で案内経路に進入しないように除外される。
【００５９】
更に取出操作の回転が進むと、図７（３）に示すように、案内経路に導かれた先頭の収容物４（４ａ）が、第１姿勢の揺動パーツ５１へ移動する。具体的には先頭の収容物４（４ａ）が、揺動パーツ５１の取出操作方向側の下流部位５１ａに乗り上げる（別言すれば、先頭の収容物４（４ａ）が揺動パーツ５１により受容される）格好となる。
【００６０】
前述のように、高さ方向の通行幅Ｈ１は、収容物４の最大幅Ｗ０よりも大きく設定され、１つ分の収容物４が通行可能な長さとされている。なお、高さ方向の通行幅Ｈ１を、最大幅Ｗ０のぎりぎりに設定すると、先頭の収容物４（４ａ）は揺動パーツ５１の取出操作方向側の下流部位５１ａに乗り上げる分、案内経路の高さが不足することになる。しかし、本実施形態では、右第２パーツ３２Ｒ及び左第２パーツ３２Ｌの取出操作方向側の端部には、間隔Ｗ３（図４参照）の切り込みが形成されているので、先頭の収容物４（４ａ）が揺動パーツ５１の取出操作方向側の下流部位５１ａに乗り上げたときに、その上端部が間隔Ｗ３の切り込み内に“逃げる”ことが可能となっている。
【００６１】
また、先頭の収容物４（４ａ）の上端部が間隔Ｗ３の切り込みに接触することで、先頭の収容物４（４ａ）は、案内経路の左右中心位置に整えられることとなる。換言すると、先頭の収容物４（４ａ）は、右第１パーツ３１Ｒや左第１パーツ３１Ｌに接触すること無く揺動パーツ５１の中央に受容される格好となる。この点は、後の揺動パーツ５１の揺動時のフリクション低減に寄与することになる。
【００６２】
図８に移って、取出操作が更に進むと、図８（４）に示すように、収容物４（４ａ）を受容した状態の揺動パーツ５１は、前方斜め上方向に持ち上がってゆく。
揺動パーツ５１が、図８（４）に示すように回転軸Ａｒを中心とした時計文字盤で言うところの８時から９時の辺りに到達すると、揺動パーツ５１は自重と受容している収容物４の重量とによって、取出操作方向と同じ方向へ回転（時計回りの回転）を始める。
【００６３】
この回転は速やかに進行し、すぐに図８（５）に示すような、揺動パーツ５１の上流部位５１ｂが下方となる第２姿勢へと変化する。揺動パーツ５１に受容されていた先頭の収容物４（４ａ）は、揺動パーツ５１から自重により移動し、案内経路に従って取出口１４へ案内されて取り出される。
【００６４】
この過程で、先頭の収容物４（４ａ）は、右第２パーツ３２Ｒと左第２パーツ３２Ｌとの間隔Ｗ４（図４参照）の部位を通過するが、当該収容物４の頂部が、間隔Ｗ４が形成する溝に軽く当たりながら案内されることとなる。すなわち、間隔Ｗ４が、収容物４のスムーズな取り出しに寄与する。
【００６５】
図９に移って、取出操作が更に進み、図９（６）〜図９（７）に示すように、揺動パーツ５１が収容部１０の上端付近に達すると、自重により揺動して第２姿勢から第１姿勢へ変化する。そして、図９（８）に示すように、取出操作が終了するころには最初の状態に戻る（図７（１）参照）。
【００６６】
本実施形態によれば、収容物を一つずつ取り出すことができる収容物取出装置を実現することができる。また、本実施形態の収容物取出装置は、収容部１０を収容物４の収容容器としても利用可能であり、取出装置として使用しない時には、バラバラになりやすい収容物４を簡単に収容することができる。
【００６７】
また、本実施形態の収容物取出装置は、球状又は移動可能な形状の菓子等を一つずつ取り出して遊ぶ玩具として利用可能である。本実施形態では、本物の回転式抽選器と同様に、ハンドル部９０を持って支持台８０上で回転させることができる。この回転によって、収容物４が１つ取り出されて、受皿部８６に転がり出るという楽しみがある。なお、収容物取出装置の外観形状は、本実施形態の形状に限定されるものではなく、外観形状に応じて色々な遊び方を楽しむことができる。
【００６８】
また、本実施形態の収容物取出装置は、投入口１２を備えているので、収容物の入れ替えや追加補充も可能であるし、取出口蓋１５を備えているので、運搬中や保管中に誤って収容物が排出される可能性を低減することができる。
【００６９】
また、収容物４の整列・案内・受容・取出に係る構造を、型抜き方向を考慮しつつ、簡単に作成できるように工夫していることで、製造コストを低く抑制できる。
【００７０】
また、選択部５０は、取出操作による回転側方から見て、湾曲または屈曲した形状を有する単純な形状・構造でありながら、自重により第１姿勢と第２姿勢とが自動的に切替られるので、製造し易い。
【００７１】
案内部３０については、案内経路の左右方向の通行幅を板状の第１パーツの対の間隔で実現し、高さ方向の通行幅を同様の板状の第２パーツの対の間隔で実現している。これにより、単純な構造とすることができ、製造コストを抑制できる。
【００７２】
そして、第１パーツ、第２パーツの取出操作方向の長さが、少なくとも取出口の上方を横切る長さを有するように設定して、収容部の回転運動に沿った整列に十分な長さの案内経路を確保しつつも、詰まりに強い案内経路を実現している。
【００７３】
加えて、第１パーツの先端部が、漏斗として機能する拡幅部を形成していること、また第１パーツが第２パーツよりも長く設定されていることが、収容物を案内経路にスムーズに整列させるのに大きく寄与している。
【００７４】
また、第２パーツの対に間隔Ｗ３，Ｗ４（図４参照）を設けたことも、収容物４が案内経路の左右中間を通るように案内する役目を果たし、スムーズで詰まりのない案内を実現している。
【００７５】
〔変形例〕
なお、本発明を適用可能な実施形態は上記の例に限るものでは無く、発明の要旨を変更しない限りにおいて適宜構成要素の追加・省略・変更が可能である。
【００７６】
例えば、上記実施形態の収容物取出装置３は、回転式抽選器のようなデザインを採用することとしたが、他の形態とすることも可能である。例えば、ハンドル部９０を省略した形態とすることが可能である。
【００７７】
また、例えば、図１０のように、本発明を手押し式玩具として構成することも可能である。図１０は、この場合の変形例の構成を説明するための略図であって側面視透視図に相当する。この変形例の手押し式玩具１００は、着脱式のカバー１０２の内部に、前後向きの左右１対の車輪１０４を備えており、上記実施形態と同様の収容部１０が、車輪１０４の車軸と回転軸Ａｒが同軸接続（又は減速機を介して接続）されている。ユーザが、この手押し式玩具１００を床の上で前進させると（図１０の例では、右方向へ移動させると）、内蔵されている収容部１０が車輪１０４とともに取出操作方向へ回転し、収容物４が進行方向後方へ排出される。いわば、卵を産むかのうように、収容物４が排出されて取り出される。
【００７８】
また、上記実施形態及び変形例では、収容部１０の側面視形状を８角形としているが、他の多角形や円形とすることもできる。
【００７９】
また、上記実施形態では、右第２パーツ３２Ｒと左第２パーツ３２Ｌとの左右間に、間隔Ｗ３，間隔Ｗ４（図４参照）を設けたが、これらを省くこととしてもよい。
【符号の説明】
【００８０】
３…収容物取出装置
４…収容物
１０…収容部
１２…投入口
１４…取出口
１９…回転方向案内
３０…案内部
３１Ｌ…左第１パーツ
３１Ｒ…右第１パーツ
３２Ｌ…左第２パーツ
３２Ｒ…右第２パーツ
５０…選択部
５１…揺動パーツ
５１ａ…下流部位
５１ｂ…上流部位
５２…揺動軸
８０…支持台
９０…ハンドル部
Ａｒ…回転軸
Ｈ１…高さ方向の通行幅
Ｐ１…第１位置
Ｐ２…第２位置
Ｗ０…収容物の最大幅
Ｗ２…左右通行幅
【図１】
2019059490.tif 000003
【図２】
2019059490.tif 000004
【図３】
2019059490.tif 000005
【図４】
2019059490.tif 000006
【図５】
2019059490.tif 000007
【図６】
2019059490.tif 000008
【図７】
2019059490.tif 000009
【図８】
2019059490.tif 000010
【図９】
2019059490.tif 000011
【図１０】
2019059490.tif 000012
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
内部空間に複数の収容物を収容可能な収容部を、所定の取出操作方向へ回転させる取出操作を行うことで、前記収容物を取出口から個別に取出可能な収容物取出装置であって、
前記収容部は、
前記収容物を前記収容部の内面沿いに前記取出口へ案内する経路を形成する案内部と、
前記案内部による案内経路に整列された前記収容物のうち、前記取出口に最も近い前記収容物を、前記取出操作の回転に伴って揺動パーツが揺動することで前記取出口へ移動させる選択部と、
を備え、
前記案内部は、前記収容部の内側に接続して形成された収容物取出装置。
【請求項２】
内部空間に複数の収容物を収容可能な収容部を、所定の取出操作方向へ回転させる取出操作を行うことで、前記収容物を取出口から個別に取出可能な収容物取出装置であって、
前記収容部は、
前記収容物を前記収容部の内面沿いに前記取出口へ案内する経路を形成する案内部と、
前記案内部による案内経路に整列された前記収容物のうち、前記取出口に最も近い前記収容物を、前記取出操作の回転に伴って揺動パーツが揺動することで前記取出口へ移動させる選択部と、
を備え、
前記案内部は、
前記案内経路の左右通行幅を設定するために、少なくとも前記案内経路に係る部分を、１つの前記収容物が通行可能な間隔で設けた第１パーツと、
前記案内経路の高さ方向の通行幅を設定するために、少なくとも前記案内経路に係る部分を、前記収容部の内面と前記収容部の回転中心との間に、前記収容部の内面から所定間隔で設けた第２パーツと、
を有し、
前記揺動パーツは、幅方向の長さが、前記案内経路の左右通行幅より短く、揺動時に前記揺動パーツの揺動端が、前記第１パーツの前記案内経路の間を通過するように構成された収容物取出装置。
【請求項３】
前記選択部は、前記揺動パーツを、前記揺動パーツの自重により、前記取出操作による回転に伴って、前記収容物を受容可能な第一姿勢と、受容された前記収容物が前記取出口の方向へ移動可能となる第二姿勢とに切替可能に枢支する、
請求項１に記載の収容物取出装置。
【請求項４】
前記案内部は、
前記案内経路の左右通行幅を設定するために、少なくとも前記案内経路に係る部分を、１つの前記収容物が通行可能な間隔で設けた第１パーツと、
前記案内経路の高さ方向の通行幅を設定するために、少なくとも前記案内経路に係る部分を、前記収容部の内面と前記収容部の回転中心との間に、前記収容部の内面から所定間隔で設けた第２パーツと、
を有する、
請求項１又は３に記載の収容物取出装置。
【請求項５】
前記第１パーツは、前記収容部の内面の第１位置から、前記取出操作方向に沿って延出するように設けられ、
前記第２パーツは、前記収容部の内面の第２位置から、前記取出操作方向に沿って延出するように設けられ、
前記第１位置および前記第２位置は、前記取出操作による回転側方から見て、前記取出操作方向の上流側に前記第２位置が位置し、下流側に前記第１位置が位置する、
請求項２又は４に記載の収容物取出装置。
【請求項６】
前記第２パーツは、前記第２位置から、少なくとも前記取出口の上方を横切る長さを有する、
請求項５に記載の収容物取出装置。
【請求項７】
前記第２パーツの前記第２位置からの長さよりも、前記第１パーツの前記第１位置からの長さの方が長い、
請求項５又は６に記載の収容物取出装置。
【請求項８】
前記揺動パーツは、幅方向の長さが、前記案内経路の左右通行幅より短く、揺動時に前記揺動パーツの揺動端が、前記第１パーツの前記案内経路の間を通過するように構成された、
請求項３〜７の何れか一項に記載の収容物取出装置。
【請求項９】
前記第２パーツは、少なくとも前記取出操作方向側の端部に、前記収容物が通過できない間隔の切り込みが設けられた、
請求項２〜８の何れか一項に記載の収容物取出装置。
【請求項１０】
前記収容部を、前記取出操作方向に回転可能に支持する支持台、
を備えた請求項１〜９の何れか一項に記載の収容物取出装置。
【請求項１１】
前記収容部を回転させるためのハンドル部、
を備えた請求項１０に記載の収容物取出装置。
【手続補正２】
【補正対象書類名】明細書
【補正対象項目名】０００６
【補正方法】変更
【補正の内容】
【０００６】
本発明の収容物取出装置は、内部空間に複数の収容物を収容可能な収容部を、所定の取出操作方向へ回転させる取出操作を行うことで、前記収容物を取出口から個別に取出可能な収容物取出装置であって、前記収容部は、前記収容物を前記収容部の内面沿いに前記取出口へ案内する経路を形成する案内部と、前記案内部による案内経路に整列された前記収容物のうち、前記取出口に最も近い前記収容物を、前記取出操作の回転に伴って揺動パーツが揺動することで前記取出口へ移動させる選択部と、を備え、前記案内部は、前記収容部の内側に接続して形成される。また、本発明の収容物取出装置は、内部空間に複数の収容物を収容可能な収容部を、所定の取出操作方向へ回転させる取出操作を行うことで、前記収容物を取出口から個別に取出可能な収容物取出装置であって、前記収容部は、前記収容物を前記収容部の内面沿いに前記取出口へ案内する経路を形成する案内部と、前記案内部による案内経路に整列された前記収容物のうち、前記取出口に最も近い前記収容物を、前記取出操作の回転に伴って揺動パーツが揺動することで前記取出口へ移動させる選択部と、を備え、前記案内部は、前記案内経路の左右通行幅を設定するために、少なくとも前記案内経路に係る部分を、１つの前記収容物が通行可能な間隔で設けた第１パーツと、前記案内経路の高さ方向の通行幅を設定するために、少なくとも前記案内経路に係る部分を、前記収容部の内面と前記収容部の回転中心との間に、前記収容部の内面から所定間隔で設けた第２パーツと、を有し、前記揺動パーツは、幅方向の長さが、前記案内経路の左右通行幅より短く、揺動時に前記揺動パーツの揺動端が、前記第１パーツの前記案内経路の間を通過するように構成される。
【手続補正３】
【補正対象書類名】明細書
【補正対象項目名】００１４
【補正方法】変更
【補正の内容】
【００１４】
また、本発明の収容物取出装置において、前記第２パーツは、少なくとも前記案内経路に係る部分が、前記収容物が通過できない間隔で設けられる構成としてもよい。また、本発明の収容物取出装置において、前記第２パーツは、少なくとも前記取出操作方向側の端部に、前記収容物が通過できない間隔の切り込みが設けられてもよい。
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
内部空間に複数の収容物を収容可能な収容部を、所定の取出操作方向へ回転させる取出操作を行うことで、前記収容物を取出口から個別に取出可能な収容物取出装置であって、
前記収容部は、
前記収容物を前記収容部の内面沿いに前記取出口へ案内する経路を形成する案内部と、
前記案内部による案内経路に整列された前記収容物のうち、前記取出口に最も近い前記収容物を、前記取出操作の回転に伴って揺動パーツが揺動することで前記取出口へ移動させる選択部と、
を備え、
前記案内部は、
前記案内経路の左右通行幅を設定するために、少なくとも前記案内経路に係る部分を、１つの前記収容物が通行可能な間隔で設けた第１パーツと、
前記案内経路の高さ方向の通行幅を設定するために、少なくとも前記案内経路に係る部分を、前記収容部の内面と前記収容部の回転中心との間に、前記収容部の内面から所定間隔で設けた第２パーツと、
を有し、
前記揺動パーツは、幅方向の長さが、前記案内経路の左右通行幅より短く、揺動時に前記揺動パーツの揺動端が、前記第１パーツの前記案内経路の間を通過するように構成された収容物取出装置。
【請求項２】
前記選択部は、前記揺動パーツを、前記揺動パーツの自重により、前記取出操作による回転に伴って、前記収容物を受容可能な第一姿勢と、受容された前記収容物が前記取出口の方向へ移動可能となる第二姿勢とに切替可能に枢支する、
請求項１に記載の収容物取出装置。
【請求項３】
前記第１パーツは、前記収容部の内面の第１位置から、前記取出操作方向に沿って延出するように設けられ、
前記第２パーツは、前記収容部の内面の第２位置から、前記取出操作方向に沿って延出するように設けられ、
前記第１位置および前記第２位置は、前記取出操作による回転側方から見て、前記取出操作方向の上流側に前記第２位置が位置し、下流側に前記第１位置が位置する、
請求項１又は２に記載の収容物取出装置。
【請求項４】
前記第２パーツは、前記第２位置から、少なくとも前記取出口の上方を横切る長さを有する、
請求項３に記載の収容物取出装置。
【請求項５】
前記第２パーツの前記第２位置からの長さよりも、前記第１パーツの前記第１位置からの長さの方が長い、
請求項４又は５に記載の収容物取出装置。
【請求項６】
前記第２パーツは、少なくとも前記取出操作方向側の端部に、前記収容物が通過できない間隔の切り込みが設けられた、
請求項１〜５の何れか一項に記載の収容物取出装置。
【請求項７】
前記収容部を、前記取出操作方向に回転可能に支持する支持台、
を備えた請求項１〜６の何れか一項に記載の収容物取出装置。
【請求項８】
前記収容部を回転させるためのハンドル部、
を備えた請求項７に記載の収容物取出装置。